(57)【要約】      （修正有）【課題】繰り返しの使用によってもへたるという症状が生じず、保持力が低下せず、関節を曲げる角度によって、角度が確実に保持、静止でき、細かな角度調整ができ、擬音を発生させ、小気味好い関節調整操作が行える人形用可動関節構成部材を提供する。【解決手段】人形用可動関節構成部材であって、第１関節構成部材本体と、波状凹凸片と、固定用貫通孔と、略六角形状の凹状取付溝部とを有し、第１関節構成部材と、嵌合部と、連結部と、脚連結部と、第２関節構成部材と、第３関節構成部材と、関節部材保持具本体と、第１先細りテーパ部が波状凹凸片に当接係止する一対の第１関節保持棒と、第２先細りテーパ部が凹凸片に当接係止する一対の第２関節保持棒と、関節部材保持具本体に、第３先細りテーパ部が波状凹凸片に当接係止する第３関節保持棒、を有する、関節部材保持具とを備えた。【選択図】図１
0003132804.tif 000002
【実用新案登録請求の範囲】
【請求項１】
円筒状をなす第１関節構成部材本体と、該第１関節構成部材本体の円筒外周面に沿って形成される波状凹凸片と、前記第１関節構成部材本体の軸芯に沿って貫通する固定用貫通孔と、第１関節構成部材本体の一方側端面に設けられた略六角形状の凹状取付溝部と、を有し、
腕部材の基端に形成された腕回動部より突設された連結突起が前記凹状取付溝部に嵌合されて、前記第１関節構成部材と腕部材とが一体化されると共に、前記腕部材が第１関節構成部材本体の軸芯を回動軸として回動可能に構成された第1関節構成部材と、
円柱状をなし、円柱状上部外周面に沿って略半円部分に設けられた波状凹凸片を有する嵌合部と、該嵌合部の軸方向左右端に設けられた連結部と、前記嵌合部の円柱状下部外周面から脚部材の基部に連結される脚連結部と、前記脚部材が前記連結部を回動軸として回動可能に構成された第２関節構成部材と、
略円筒状に形成され、軸方向一端面に設けられた波状凹凸片と、軸方向他端面より外側に略八角形状をなして張り出す固定用張り出し片と、を有し、前記固定用張り出し片が頭部材下方に形成された取付凹部内に嵌入され、前記頭部材の中心軸を回動軸として、頭部材と共に回動可能に構成された第３関節構成部材と
上、下辺を水平方向に向けた略六角形状をなす平板型基体の中心部に六角形状をなす取付穴が中心部に穿設された関節部材保持具本体と、
前記関節部材保持具本体の上下方向略中間位置で幅方向左右端から左右外側に向かって各々棒状に突設されると共に、先端が各々第１先細りテーパ部とされ、前記第１先細りテーパ部が前記回動する第１関節構成部材の波状凹凸片に弾性を有して当接係止する一対の第１関節保持棒と、
前記関節部材保持具本体の下辺両端から二股状にされて左右に延出され、かつ先端が第２先細りテーパ部とされると共に、該第２先細りテーパ部が前記第２関節構成部材における連結部を軸として回動する波状凹凸片に弾性を有して当接係止する一対の第２関節保持棒と、
前記関節部材保持具本体の上辺より上方に向かって棒状に突設されると共に、先端が前記第３先細りテーパ部とされ、前記第３先細りテーパ部が前記回動する第３関節構成部材の波状凹凸片に弾性を有して当接係止する第３関節保持棒と、
を有する、関節部材保持具と、
を備えた、ことを特徴とする人形用可動関節構成部材。
【請求項２】
前記第１先細りテーパ部が前記回動する第１関節構成部材の波状凹凸片に弾性を有して当接係止し、前記第２先細りテーパ部が前記回動する第２関節構成部材の波状凹凸片に弾性を有して当接係止し、前記第３先細りテーパ部が前記回動する第３関節構成部材の波状凹凸片に弾性を有して当接係止し、各々首部材、一対の腕部材及び一対の脚部材が所定角度に角度調節可能に保持、静止できると共に、角度調整する回動時には回動音が発生する、
ことを特徴とする請求項１記載の人形用可動関節構成部材。
【請求項３】
前記第1関節構成部材、第２関節構成部材、第３関節構成部材及び、可動関節保持部材４をポリアセタール樹脂で形成した、
ことを特徴とする請求項１または請求項２記載の人形用可動関節構成部材。
【考案の詳細な説明】
【技術分野】
【０００１】
この考案は、フィギュアなど人形の腕、脚、首等における可動関節に用いられる人形用可動関節構成部材に関するものである。
【背景技術】
【０００２】
従来、人形の胴体部を基本として、腕部、脚部、首部の関節構造における基本的可動をなす関節部分については、腕部の可動については肩部をもって一定範囲内で前後の基本可動ができるよう構成され、また、脚部の可動については足の付け根部が一定範囲内で前後の基本可動ができるよう構成され、さらに首部分においては首の付け根部が360度左右旋回可能なように構成されている。
これら関節の可動部の構造については、前記の各部の基本可動が可能なように、略凹状の溝を外周面略中心部に有する略円柱状からなる連結部材と前記連結部の凹状の溝の形状に対応した、はめ込み可能な形状の略凹状溝を有する連結部材とを嵌合させることにより、腕部及び脚部については前後の基本可動、また首部においては360度の左右旋回の基本可動をさせる構造が一般的に知られている。
また、この種の関節可動人形における関節可動部材には、極力人の動きをリアルに模倣するように構成されており、前記関節の可動部が広範囲であり、しかもワイドに回動するよう球型ジャーナル部材と球面軸受部材とをはめ込む構成からなるボールジョイントなどが一般的に知られている。
【特許文献１】実公平６−４７５０５号公報
【考案の開示】
【考案が解決しようとする課題】
【０００３】
しかしながら、上記の従来の関節可動部構造では、繰り返しの使用によって、摩擦により、へたるという症状が生じてしまい、もって関節可動部において、保持力の低下が見受けられ、関節を曲げる角度によっては、その角度が保持出来ず、静止できずに可動してしまうとの課題があった。
かくして、本考案は、前記従来の課題に対処すべく案出されたものであり、繰り返しの使用によってもへたるという症状が生じず、もって関節可動部において、保持力が低下せず、関節を曲げる角度によって、その角度が確実に保持、静止でき、さらには各可動関節部において細かな角度調整ができ、また各可動関節部において細かな角度調整をする際に、カチカチと関節がなるような擬音を発生させ、小気味好い関節調整操作が行える人形用可動関節構成部材を提供することを目的とするものである。
【課題を解決するための手段】
【０００４】
本考案による人形用可動関節構成部材は、
円筒状をなす第１関節構成部材本体と、該第１関節構成部材本体の円筒外周面に沿って形成される波状凹凸片と、前記第１関節構成部材本体の軸芯に沿って貫通する固定用貫通孔と、第１関節構成部材本体の一方側端面に設けられた略六角形状の凹状取付溝部と、を有し、
腕部材の基端に形成された腕回動部より突設された連結突起が前記凹状取付溝部に嵌合されて、前記第１関節構成部材と腕部材とが一体化されると共に、前記腕部材が第１関節構成部材本体の軸芯を回動軸として回動可能に構成された第1関節構成部材と、
円柱状をなし、円柱状上部外周面に沿って略半円部分に設けられた波状凹凸片を有する嵌合部と、該嵌合部の軸方向左右端に設けられた連結部と、前記嵌合部の円柱状下部外周面から脚部材の基部に連結される脚連結部と、前記脚部材が前記連結部を回動軸として回動可能に構成された第２関節構成部材と、
略円筒状に形成され、軸方向一端面に設けられた波状凹凸片と、軸方向他端面より外側に略八角形状をなして張り出す固定用張り出し片と、を有し、前記固定用張り出し片が頭部材下方に形成された取付凹部内に嵌入され、前記頭部材の中心軸を回動軸として、頭部材と共に回動可能に構成された第３関節構成部材と
上、下辺を水平方向に向けた略六角形状をなす平板型基体の中心部に六角形状をなす取付穴が中心部に穿設された関節部材保持具本体と、
前記関節部材保持具本体の上下方向略中間位置で幅方向左右端から左右外側に向かって各々棒状に突設されると共に、先端が各々第１先細りテーパ部とされ、前記第１先細りテーパ部が前記回動する第１関節構成部材の波状凹凸片に弾性を有して当接係止する一対の第１関節保持棒と、
前記関節部材保持具本体の下辺両端から二股状にされて左右に延出され、かつ先端が第２先細りテーパ部とされると共に、該第２先細りテーパ部が前記第２関節構成部材における連結部を軸として回動する波状凹凸片に弾性を有して当接係止する一対の第２関節保持棒と、
前記関節部材保持具本体の上辺より上方に向かって棒状に突設されると共に、先端が前記第３先細りテーパ部とされ、前記第３先細りテーパ部が前記回動する第３関節構成部材の波状凹凸片に弾性を有して当接係止する第３関節保持棒と、
を有する、関節部材保持具と、
を備えた、ことを特徴とし、
または、
前記第１先細りテーパ部が前記回動する第１関節構成部材の波状凹凸片に弾性を有して当接係止し、前記第２先細りテーパ部が前記回動する第２関節構成部材の波状凹凸片に弾性を有して当接係止し、前記第３先細りテーパ部が前記回動する第３関節構成部材の波状凹凸片に弾性を有して当接係止し、各々首部材、一対の腕部材及び一対の脚部材が所定角度に角度調節可能に保持、静止できると共に、角度調整する回動時には回動音が発生する、
ことを特徴とし、
または、
前記第1関節構成部材、第２関節構成部材、第３関節構成部材及び、可動関節保持部材４をポリアセタール樹脂で形成した、
ことを特徴とするものである。
【考案の効果】
【０００５】
本考案による人形用可動関節構成部材であれば、
繰り返しの使用によってもへたるという症状が生じず、もって関節可動部において、保持力が低下せず、関節を曲げる角度によって、その角度が確実に保持、静止でき、さらには各可動関節部において細かな角度調整ができ、また各可動関節部において細かな角度調整をする際に、カチカチと関節がなるような擬音を発生させ、小気味好い関節調整操作が行える人形用可動関節構成部材を提供できるとの優れた効果を奏する。
【考案を実施するための最良の形態】
【０００６】
以下、本考案を図に示す最良の実施の形態に基づいて説明する。
本考案による人形用可動関節構成部材は、まず、第1関節構成部材１と、第２関節構成部材２と、第３関節構成部材３と、一対の第１関節保持棒５，５、一対の第２関節保持棒６，６及び第３関節保持棒７を備えた関節部材保持具４と、を有して構成されている。
ここで、第１関節構成部材１は、図１、図２から理解されるように、円筒状をなす第１関節構成部材本体８と、該第１関節構成部材本体８の円筒外周面に沿って張り出し形成される波状凹凸片９と、前記第１関節構成部材本体８の軸芯に沿って貫通する固定用貫通孔１０と、第１関節構成部材本体８の一方側端面に設けられた略六角形状をなす凹状取付溝部１１と、を有して構成されている。
そして、図９において、符号１２は腕部材を示すものであり、該腕部材１２の基端に形成された腕回動部１３より突設された連結突起１４が前記第１関節構成部材１の凹状取付溝部１１に嵌合されて、前記第１関節構成部材１と腕部材１２とが一体化されると共に、前記腕部材１２が第１関節構成部材本体８の軸芯を回動軸として回動可能に構成されている。
【０００７】
次に、第２関節構成部材２について説明する。
第２関節構成部材２は、円柱状をなし、円柱状上部外周面に沿って略半円部分に設けられた波状凹凸片９を有する嵌合部１５と、該嵌合部１５の軸方向左右端に設けられた連結部１６、１６と、前記嵌合部１５の円柱状下部外周面から脚部材１７の基部１８に連結される脚連結部３２、とを有し、連結された脚部材１７が前記連結部１６を回動軸として回動可能に構成されているものである（図９参照）。
【０００８】
さらに、第３関節構成部材３は、図５，図６に示されているように、略円筒状に形成され、軸方向一端面に設けられた波状凹凸片９と、軸方向他端面より外側に略八角形状をなして張り出す固定用張り出し片１９と、を有し、前記固定用張り出し片１９が頭部材２０の下方に形成された取付凹部２１内に嵌入され、前記頭部材２０の中心軸を回動軸として、頭部材２０と共に回動可能に構成されているものである。
【０００９】
次に、関節部材保持具４の構成について説明する。
ここで、関節部材保持具４は、上辺及び下辺が水平方向に向いた略六角形状をなす平板型基体２２の中心部に六角形状をなす取付穴２３を中心部に有する関節部材保持具本体２４と、前記関節部材保持具本体２４の上辺より上方に向かって棒状に突設されると共に、先端が前記第３先細りテーパ部２５とされ、前記第３先細りテーパ部２５が、前述した回動する第３関節構成部材３の波状凹凸片９に弾性を有して当接係止する第３関節保持棒７と、前記関節部材保持具本体２４の上下方向略中間位置で幅方向左右端から左右外側に向かって各々棒状に突設されると共に、先端が図８から理解されるように、かぎ爪状に折れ曲がり、かつその先が各々第１先細りテーパ部２６とされ、前記第１先細りテーパ部２６が前記回動する第１関節構成部材１の波状凹凸片９に弾性を有して当接係止する一対の第１関節保持棒５と、前記関節部材保持具本体２４の下辺両端から二股状にされて左右に延出され、かつ先端が第２先細りテーパ部２７とされると共に、該第２先細りテーパ部２７が前記第２関節構成部材２における連結部１６を軸として回動する波状凹凸片９に弾性を有して当接係止する一対の第２関節保持棒６とを有して構成されている。
【００１０】
以上において、本考案による人形用関節構成部材の使用状態につき説明すると、
まず、腕部材１２の基端に形成された腕回動部１３からは連結突起１４が突設されており、該連結突起１４に第１関節構成部材１が取り付けられる。
この第１関節構成部材１が取り付けられた腕部材１２は、例えば、ナイロン製樹脂あるいはプラスチック製樹脂で構成され、いわゆる内部に取り付け用の空洞部が設けられた人形本体２８の左右の腕取付箇所２９、２９に取り付けられると共に、当該腕部材１２、１２を可動関節方向に回動したとき、カチカチと回動音（角度調整音）が発生するよう、人形本体２８内部に取り付けられた関節部材保持具４の第１先細りテーパ部２６、２６が、第１関節構成部材１の波状凹凸片９に当接、係止して構成されている。
【００１１】
なお、この第１先細りテーパ部２６は、図８から理解されるように、かぎ爪状に折れ曲がって形成された第１関節保持棒５の先に設けられているものである。
【００１２】
次に、前述した通り、第２関節構成部材２は、その嵌合部１５の円柱状下部外周面から脚部材１７の基部１８に連結されており、前記前記脚部材１７が前記連結部１６を回動軸として回動可能に構成されている。
そして、この第２関節構成部材２が脚連結部３２を介して取り付けられた脚部材１７、１７は、やはり前記の腕部材１２の取り付け状態と同じように、前記人形本体２８の左右の脚取付箇所３０、３０に取り付けられると共に、当該脚部材１７、１７を可動関節方向に回動したとき、カチカチと回動音（角度調整音）が発生するよう、人形本体２８内部に取り付けられた関節部材保持具４の第２先細りテーパ部２７、２７が、第２関節構成部材２の波状凹凸片９に当接、係止して構成されている。
【００１３】
さらに、頭部材２０の下方内部に固定され、前記頭部材２０の上下方向中心軸を回動軸として、頭部材２０と共に回動可能に構成された第３関節構成部材及びこれを内設した頭部材２０は、人形本体２８の上方にある頭部材取付箇所３１、３１に取り付けられると共に、当該頭部材２０、２０を可動関節方向に回動したとき、カチカチと回動音（角度調整音）が発生するよう、人形本体２８内部に取り付けられた関節部材保持具４における第３関節保持棒７の第３先細りテーパ部２５が、第３関節構成部材３の波状凹凸片９に当接、係止して構成されてものとなる。
【００１４】
しかして、上記の様な構成を採用することにより、首が含まれた頭部材２０、一対の腕部材１２，１２及び一対の脚部材１７，１７が可動関節範囲内において所定の角度に保持、静止できると共に、所定角度にすべく角度調整ができ、かつこの角度調整時には回動音、すなわち角度調整音が発生するのである。
そして、前記第1関節構成部材１、第２関節構成部材２、第３関節構成部材３及び、可動関節保持具４、すなわち可動関節保持具本体２４から各々外側に延出する第１関節保持棒５、第２関節保持棒６及び第３関節保持棒７は、比較的強度があり、堅めの部材であるポリアセタール樹脂で形成されているため、長期間の回動使用にも耐えられ、またカチカチと大きな歯切れのよい回動音を生成することが出来る。しかも、潤滑性及び耐磨耗性が高く、価格も比較的安価である。
【図面の簡単な説明】
【００１５】
【図１】本考案による第１関節構成部材の構成を説明する構成説明図（その１）である。
【図２】本考案による第１関節構成部材の構成を説明する構成説明図（その２）である。
【図３】本考案による第２関節構成部材の構成を説明する構成説明図（その１）である。
【図４】本考案による第２関節構成部材の構成を説明する構成説明図（その２）である。
【図５】本考案による第３関節構成部材の構成を説明する構成説明図（その１）である。
【図６】本考案による第３関節構成部材の構成を説明する構成説明図（その２）である。
【図７】本考案による関節部材保持具の構成を説明する構成説明図（その１）である。
【図８】本考案による関節部材保持具の構成を説明する構成説明図（その２）である。
【図９】本考案による人形用可動関節構成部材の使用状態を説明する概略説明図である。
【符号の説明】
【００１６】
１        第１関節構成部材
２        第２関節構成部材
３        第３関節構成部材
４        関節部材保持具  
５        第１関節保持棒
６        第２関節保持棒
７        第３関節保持棒
８        第１関節構成部材本体
９        波状凹凸片
１０      固定用貫通孔
１１      凹状取付溝部
１２      腕部材
１３      腕回動部
１４      連結突起
１５      嵌合部
１６      連結部    
１７      脚部材
１８      脚部材の基部
１９      固定用張り出し片
２０      頭部材
２１      取付凹部
２２      平板型基体
２３      取付穴
２４      関節部材保持具本体
２５      第３先細りテーパ部
２６      第１先細りテーパ部
２７      第２先細りテーパ部
２８      人形本体
２９      腕取付箇所
３０      脚取付箇所
３１      頭部取付箇所
３２      脚連結部
３３      連結体
【図１】
0003132804.tif 000003
【図２】
0003132804.tif 000004
【図３】
0003132804.tif 000005
【図４】
0003132804.tif 000006
【図５】
0003132804.tif 000007
【図６】
0003132804.tif 000008
【図７】
0003132804.tif 000009
【図８】
0003132804.tif 000010
【図９】
0003132804.tif 000011